(57)【要約】【課題】  搬送経路を構成する外側シュートカバーを開閉可能とした画像読取装置において、外側シュートカバーが開かれたときに、読取部に外光が入射してしまうことを抑制する。【解決手段】  外側シュートカバー２３が揺動して搬送経路Ｌｏを開放するオープン位置になったときには、遮光部材３１が遮光位置となり、一方、外側シュートカバー２３が閉じられたクローズ位置になったときには、遮光部材３１が退避位置となるように構成する。これにより、外側シュートカバー２３が開かれたときに、読取部（自動読取窓９）に外光が入射してしまうことを抑制できる。さらに、薄い原稿の場合には、外側シュートカバー２３をクローズ位置として読み取りを行い、厚い原稿の場合には、外側シュートカバー２３をオープン位置として読み取りを行うことにより原稿の曲がり癖が発生することを抑制することができる。【選択図】図３
2011211597.tif 000002
【特許請求の範囲】
【請求項１】
自動搬送されてきた原稿に記載された内容を読み取る読取部を備える自動搬送原稿読取機能を有する画像読取装置であって、
装置本体に対して揺動可能に組み付けられ、前記読取部を通過した原稿の搬送方向を９０度以上転向させる搬送経路を構成するとともに、この搬送経路の外側から原稿に接触して原稿の搬送を案内する外側シュートカバーと、
前記外側シュートカバー側から前記読取部に光が入射することを遮断する遮光位置とこの遮光位置から退避した退避位置との間で、前記外側シュートカバーの揺動に連動して変位する遮光部材とを備え、
前記外側シュートカバーが揺動して前記搬送経路を開放するオープン位置になったときには、前記遮光部材は前記遮光位置となり、一方、前記外側シュートカバーが閉じられたクローズ位置になったときには、前記遮光部材は前記退避位置となることを特徴とする画像読取装置。
【請求項２】
前記外側シュートカバーは、前記外側シュートカバーが前記クローズ位置にあるときに、前記遮光部材に対して前記遮光部材を前記退避位置に保持するための保持力を作用させ、
さらに、前記外側シュートカバーが前記オープン位置にあるときには、前記保持力が消失することにより、前記遮光部材が前記外側シュートカバーの揺動に機械的に連動して変位することを特徴とする請求項１に記載の画像読取装置。
【請求項３】
前記遮光部材は、前記搬送経路の内側に位置しているとともに、前記退避位置にあるときには前記搬送経路の一部を構成することを特徴とする請求項１又は２に記載の画像読取装置。
【請求項４】
前記装置本体に設けられ、前記搬送経路の内側から原稿に接触して原稿に搬送力を付与する送りローラと、
前記外側シュートカバーのうち前記送りローラと対向する位置に設けられ、前記搬送経路の外側から原稿に接触するガイド部と
を備えることを特徴とする請求項３に記載の画像読取装置。
【請求項５】
前記送りローラを回転可能に支持した状態で、前記送りローラ全体を上下方向に揺動可能として前記装置本体に組み付けるためのホルダアームを備え、
前記遮光部材は前記送りローラに組み付けられており、
さらに、前記外側シュートカバーは、上下方向に揺動可能であって、かつ、その揺動中心が前記ホルダアームの揺動中心より下方側に設定されていることを特徴とする請求項４に記載の画像読取装置。
【請求項６】
前記遮光部材は、前記送りローラの回転中心軸に対して回転可能な状態で前記ホルダアーム又は前記送りローラに組み付けられていることを特徴とする請求項５に記載の画像読取装置。
【請求項７】
前記ホルダアームの揺動中心側には、前記送りローラに駆動力を供給する動力供給部が設けられていることを特徴とする請求項６に記載の画像読取装置。
【請求項８】
前記ガイド部の下部に前記外側シュートカバーの揺動中心が設定され、
さらに、前記ガイド部の上部には、前記ガイド部と共に前記外側シュートカバーを構成するカバー部が揺動可能に組み付けられていることを特徴とする請求項７に記載の画像読取装置。
【発明の詳細な説明】
【技術分野】
【０００１】
本発明は、自動搬送原稿読取機能を有する画像読取装置に関するものである。
【背景技術】
【０００２】
例えば、特許文献１に記載の発明では、自動搬送される原稿に曲がり癖が発生することを防止するために、原稿の厚みに応じてＵ字状に湾曲した搬送経路に原稿を搬送する場合と、湾曲することなく直線的な搬送経路に原稿を搬送する場合とを切り替えている。
【先行技術文献】
【特許文献】
【０００３】
【特許文献１】特開平１１−１２７３０１号公報
【発明の概要】
【発明が解決しようとする課題】
【０００４】
ところで、発明者等は、搬送経路を構成する外側シュートカバーを開閉可能とすることにより、外側シュートカバーが閉じられた状態では、湾曲した搬送経路が構成され、一方、外側シュートカバーが開かれた状態では、その搬送経路が開放されて原稿を大きく湾曲させることなく直線的に排出することができる画像読取装置を検討した。なお、この検討に係る画像読取装置は、発明者等が他に先がけて検討したものであって、公知の画像読取装置ではない。
【０００５】
しかし、上記の検討に係る画像読取装置では、外側シュートカバーが開かれたときに、読取部に外光が入射してしまうおそれがあるため、読み取り不良が発生するおそれがあることが判明した。
【０００６】
本発明は、上記点に鑑み、搬送経路を構成する外側シュートカバーを開閉可能とした画像読取装置において、外側シュートカバーが開かれたときに、読取部に外光が入射してしまうことを抑制することを目的とする。
【課題を解決するための手段】
【０００７】
上記目的を達成するために、本発明では、自動搬送されてきた原稿に記載された内容を読み取る読取部（９）を備える自動搬送原稿読取機能を有する画像読取装置であって、装置本体（３、５）に対して揺動可能に組み付けられ、読取部（９）を通過した原稿の搬送方向を９０度以上転向させる搬送経路（Ｌｏ）を構成するとともに、この搬送経路（Ｌｏ）の外側から原稿に接触して原稿の搬送を案内する外側シュートカバー（２３）と、外側シュートカバー（２３）側から読取部（９）に光が入射することを遮断する遮光位置とこの遮光位置から退避した退避位置との間で、外側シュートカバー（２３）の揺動に連動して変位する遮光部材（３１）とを備え、外側シュートカバー（２３）が揺動して搬送経路（Ｌｏ）を開放するオープン位置になったときには、遮光部材（３１）は遮光位置となり、一方、外側シュートカバー（２３）が閉じられたクローズ位置になったときには、遮光部材（３１）は退避位置となることを特徴とする。
【０００８】
これにより、本発明では、外側シュートカバー（２３）が開かれたときに、読取部（９）に外光が入射してしまうことを抑制できる。
すなわち、本発明では、薄い原稿の場合には、外側シュートカバー（２３）をクローズ位置として読み取りを行い、厚い原稿の場合には、外側シュートカバー（２３）をオープン位置として読み取りを行うことにより原稿の曲がり癖が発生することを抑制することができる。
【０００９】
そして、外側シュートカバー（２３）が開かれたときには、遮光部材（３１）が読取部（９）に光が入射することを遮断する遮光位置となるので、読取部（９）に外光が入射してしまうことを抑制できる。
【００１０】
なお、「搬送経路（Ｌｏ）の外側」とは、搬送経路（Ｌｏ）を挟んで搬送経路（Ｌｏ）の曲率中心と反対側をいい、「搬送経路（Ｌｏ）の内側」とは、搬送経路（Ｌｏ）に対して搬送経路（Ｌｏ）の曲率中心と同一側をいう。また、装置本体とは、外側シュートカバー（２３）等の可動部材が組み付けられる部分であって、この可動部材から見たときに、不動部材となる部材をいう。
【００１１】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１２】
【図１】本発明の実施形態に係る画像読取装置１の斜視図である。
【図２】本発明の第１実施形態に係る画像読取装置１の中央断面図である。
【図３】本発明の第１実施形態に係る画像読取装置１の中央断面図である。
【図４】本発明の実施形態に係る画像読取装置１の中央断面を斜視で見た図である。
【図５】第２搬送ローラ２１及びピンチローラ２３Ｃ等に作用する力を示す図である。
【図６】本発明の第２実施形態に係る画像読取装置１の中央断面図である。
【図７】本発明の第２実施形態に係る画像読取装置１の中央断面図である。
【発明を実施するための形態】
【００１３】
本実施形態は、原稿を自動的に搬送しながら原稿に記載された画像を読み取る自動読取機能（ＡＤＦ読取機能）、及び静止載置された原稿に記載された画像を読み取る静止原稿読取機能（フラットベッド読取機能）を兼ね備えた画像読取装置に本発明に係る画像読取装置（スキャナ）を適用したものである。以下、本発明の実施形態を図面と共に説明する。
【００１４】
（第１実施形態）
１．画像読取装置の概略構成
画像読取装置１の本体部３の上面側には、図１に示すように、原稿カバー５が揺動可能に組み付けられており、静止原稿読取機能（フラットベッド読取機能）にて原稿読取を行う場合には、この原稿カバー５を手動操作にて上方側に開いて原稿を静止原稿読取機能用の画像読取窓７（図２参照）に載置する。
【００１５】
また、本体部３には、図２に示すように、静止原稿読取機能用の画像読取窓（以下、静止読取窓という。）７、及び自動搬送読取機能用の画像読取窓（以下、自動読取窓という。）９が設けられており、両読取窓７、９は、ガラスやアクリル等の透明なプラテン７Ａ、９Ａにて閉塞されている。なお、両読取窓７、９（プラテン７Ａ、９Ａ）は略水平な面にて構成されている。
【００１６】
そして、本体部３内には、原稿に照射されて反射した光を受光し、その受光した光に基づいて電気信号を発する画像撮像素子１１が配設されており、画像読取装置１は、画像撮像素子１１を介して原稿に記載された文字等の画像を電気信号に変換して画像を読み取っていく。
【００１７】
因みに、本実施形態では、画像撮像素子１１として、ＣＩＳ（Contact Image Sensor）を用いており、このＣＩＳ（画像撮像素子１１）の長手方向は、両読取窓７、９の直下において、その移動方向と直交する方向（紙面と垂直な方向）に延びている。
【００１８】
そして、画像撮像素子１１は、本体部３の長手方向（図２の左右方向）に移動可能に本体部３に組み付けられており、画像撮像素子１１は、自動搬送読取機能作動時には、自動読取窓９の直下に停止配置された状態で画像を読み取り、一方、静止原稿読取機能作動時には、静止読取窓７の直下で移動しながら画像を読み込んでいく。
【００１９】
また、原稿カバー５のうち自動読取窓９に対応する部位には、読み取り用の原稿を自動読取窓９に搬送する自動原稿搬送機構（オートドキュメントフィーダ（ＡＤＦ））１２が設けられている。
【００２０】
２．自動原稿搬送機構の構成
自動原稿搬送機構１２は、原稿トレイ１３（図１参照）に載置された原稿を自動読取窓９に搬送するとともに、読み取り完了した原稿を排出トレイ１５に排出するものである。なお、複数枚の原稿は、その厚み方向が上下方向に一致するように積層された状態で原稿トレイ１３又は排出トレイ１５に載置される。
【００２１】
そして、原稿トレイ１３に載置された複数枚の原稿は、フィーダ機構（図示せず。）にて、最下部に位置する原稿から順に自動読取窓９側に送り出され、その送り出された原稿は、第１搬送ローラ１９から搬送力を付与されて自動読取窓９に至る。なお、ピンチローラ１９Ａは、原稿を第１搬送ローラ１９に押し付けながら搬送される原稿と共に従動回転するローラである。
【００２２】
そして、自動読取窓９を通過した原稿は、第２搬送ローラ２１により排出トレイ１５側に搬送されるとともに、外側シュートカバー２３により、その搬送方向が水平方向から上方側に略１８０°転向させられた後、第３搬送ローラ２５にて排出トレイ１５側に搬送される。このため、本実施形態では、自動読取窓９から第３搬送ローラ２５に至る原稿の搬送経路Ｌｏは、Ｕ字状又はＪ字状に湾曲した経路となる。
【００２３】
因みに、第１搬送ローラ１９、第２搬送ローラ２１及び第３搬送ローラ２５は、複数枚の歯車からなる歯車列を介して同一の電動モータ（図示せず。）から駆動力を得て原稿に搬送力を付与するものであり、ピンチローラ２５Ａは、原稿を第３搬送ローラ２５に押し付けながら原稿の移動とともに従動回転するものである。
【００２４】
また、外側シュートカバー２３は、第１ヒンジ部２７Ａを介して本体部３に対して揺動可能に組み付けられているとともに、搬送経路Ｌｏの外側から原稿に接触して自動読取窓９を通過した原稿の搬送を案内する案内手段である。そして、外側シュートカバー２３は、第１ヒンジ部２７Ａが設けられたガイド部２３Ａ、及びガイド部２３Ａに揺動可能に組み付けられたカバー部２３Ｂ等から構成されている。
【００２５】
因みに、「搬送経路Ｌｏの外側」とは、搬送経路Ｌｏを挟んで搬送経路Ｌｏの曲率中心と反対側（図２では、搬送経路Ｌｏの左側）をいい、「搬送経路Ｌｏの内側」とは、搬送経路Ｌｏに対して搬送経路Ｌｏの曲率中心と同一側（図２では、搬送経路Ｌｏの右側）をいう。
【００２６】
そして、ガイド部２３Ａは、第２搬送ローラ２１と対向する位置において、搬送経路Ｌｏの外側から原稿に接触して原稿の搬送を案内するものであり、本実施形態では、ガイド部２３Ａのうち搬送経路Ｌｏに面する部位全域が原稿に接触するのではなく、主にガイド部２３Ａに設けられたピンチローラ２３Ｃが原稿に接触して原稿の搬送を案内する。
【００２７】
つまり、本実施形態では、ピンチローラ２３Ｃは、ガイド部２３Ａ（外側シュートカバー２３）の一部を構成するものである。そして、外側シュートカバー２３が閉じられた状態（図２に示す状態）においては、ピンチローラ２３Ｃは、原稿を第２搬送ローラ２１に押し付けながら移動する原稿と共に従動回転する。
【００２８】
また、第１ヒンジ部２７Ａ、つまり外側シュートカバー２３の揺動中心Ｏ１は、ガイド部２３Ａの下部に設定されており、一方、カバー部２３Ｂとガイド部２３Ａとを揺動可能に連結する第２ヒンジ部２７Ｂはガイド部２３Ａの上部に設けられている。
【００２９】
また、カバー部２３Ｂは、搬送経路Ｌｏのうちガイド部２３Ａより搬送方向下流において搬送経路Ｌｏの外側から原稿に接触して原稿の搬送を案内するものである。そして、カバー部２３Ｂの搬送経路Ｌｏ側の面及びガイド部２３Ａの搬送経路Ｌｏ側の面により、外側シュートカバー２３が閉じられたときに、搬送経路Ｌｏの湾曲形状に沿うようなＵ字状又はＪ字状に湾曲した案内部が構成される。
【００３０】
また、第２搬送ローラ２１は、搬送経路Ｌｏの内側から原稿に接触して原稿に搬送力を付与するとともに、搬送経路Ｌｏの内側（曲率中心側）から搬送経路Ｌｏ側に延びるホルダアーム２９の一端側に回転可能に支持されている。一方、ホルダアーム２９の他端側（曲率中心側）側は、原稿カバー５の本体部に揺動可能に組み付けられている。なお、原稿カバー５の本体部とは、原稿カバー５の骨格部材をなすフレーム１２Ｂ（図４参照）等をいう。
【００３１】
そして、ホルダアーム２９の揺動中心Ｏ２は、外側シュートカバー２３の揺動中心Ｏ１より上方側であって、外側シュートカバー２３が閉じられた状態における第２搬送ローラ２１の回転中心Ｏ３より下方側に設定されている。
【００３２】
なお、第２搬送ローラ２１に駆動力を供給する駆動歯車２１Ｃは、その回転中心軸線がホルダアーム２９の揺動中心Ｏ２と一致するように設定されており、この駆動歯車２１Ｃは、第２搬送ローラ２１と一体的に回転する歯車２１Ｄと噛み合って駆動力を第２搬送ローラ２１に付与する。
【００３３】
ところで、外側シュートカバー２３が閉じられた状態では、前述したように、搬送経路Ｌｏの湾曲形状に沿うようなＵ字状又はＪ字状に湾曲した案内部が構成されるが、図３に示すように、外側シュートカバー２３が開かれると、搬送経路Ｌｏが開放された状態となる。このため、外側シュートカバー２３が開かれたまま、自動読取機能（ＡＤＦ読取機能）を実行すると、自動読取窓９に外光が入射してしまうおそれがある。
【００３４】
そして、自動読取窓９に外光が入射してしまうと、読み取り不良が発生するおそれがあるので、本実形態では、外側シュートカバー２３が開かれたときに、外側シュートカバー２３側から自動読取窓９に光が入射することを防止する遮光部材３１を設けている。
【００３５】
すなわち、遮光部材３１は、自動読取窓９への光の入射を防止するための遮光位置（図３に示す状態）とこの遮光位置から退避した退避位置（図２に示す状態）との間で、外側シュートカバー２３の揺動に連動して変位する。
【００３６】
そして、外側シュートカバー２３が揺動して搬送経路Ｌｏを開放するオープン位置になったときには、遮光部材３１は遮光位置となり（図３参照）、一方、外側シュートカバー２３が閉じられたクローズ位置になったときには、遮光部材３１は退避位置となる（図２参照）。
【００３７】
また、遮光部材３１は、図４に示すように、搬送される原稿の幅方向（本実施形態では、画像読取装置１の前後方向）と直交する断面形状が略円弧状となるように、幅方向に延びる樋状に形成されているとともに、第２搬送ローラ２１の回転中心軸に対して回転可能な状態でホルダアーム２９又は第２搬送ローラ２１の回転軸（本実施形態では、第２搬送ローラ２１の回転軸）に組み付けられている。なお、搬送される原稿の幅方向とは、原稿の搬送方向及び厚み方向と直交する方向をいう。
【００３８】
そして、遮光部材３１は、図２に示すように、搬送経路Ｌｏの内側に位置しているとともに、退避位置にあるときには搬送経路Ｌｏの一部を構成する。このため、本実施形態では、遮光部材３１が退避位置にあるときに、遮光部材３１が第２搬送ローラ２１の回転中心Ｏ３周りに揺動して搬送経路Ｌｏを閉塞してしまうことを防止する揺動抑制機構３３を設けている。
【００３９】
なお、本実施形態に係る揺動抑制機構３３は、遮光部材３１の上端と自動原稿搬送機構１２の上側カバー１２Ａとの隙間を閉塞する封止部材３３Ａ、及び遮光部材３１に作用する重力よる回転中心Ｏ３周りのモーメントを打ち消す向きのモーメントを発生させる錘部３３Ｂ等から構成されている。
【００４０】
そして、封止部材３３Ａは、蛇腹状の薄膜部材にて構成されており、遮光部材３１の変位に応じて伸縮するとともに遮光部材３１の姿勢を保持するための弾性力を遮光部材３１に作用させる。錘部３３Ｂは、外側シュートカバー２３がクローズ位置にある場合において、遮光部材３１の回転中心Ｏ３を通る鉛直仮想線Ｌ１に対して遮光部材３１の重心Ｇ１と反対側に設けられている。
【００４１】
また、遮光部材３１のうち第２搬送ローラ２１に対応する部位には、図４に示すように、第２搬送ローラ２１の一部が貫通する穴３１Ａが設けられ、遮光部材３１の内面（ホルダアーム２９側の面）には、遮光部材３１をホルダアーム２９又は第２搬送ローラ２１の回転軸（本実施形態では、第２搬送ローラ２１の回転軸）に組み付けるための取付部３１Ｂが一体形成されている。因みに、図４では、封止部材３３Ａ及び錘部３３Ｂは省略されている。
【００４２】
３．遮光部材の作動
外側シュートカバー２３がクローズ位置にある場合には、図２に示すように、外側シュートカバー２３及び遮光部材３１により略Ｕ字状に湾曲した搬送経路Ｌｏが構成されるとともに、搬送経路Ｌｏが閉じた状態となるので、自動読取窓９に外光が入射することはない。
【００４３】
このとき、第２搬送ローラ２１及びホルダアーム２９は、図５に示すように、自身に作用する重力Ｆｏにより下方側に向けて揺動しようとするとともに、ピンチローラ２３Ｃの回転中心Ｏ４が第２搬送ローラ２１の回転中心Ｏ３より低い部位に位置し、かつ、第２搬送ローラ２１と対向する位置にて配設されているので、ピンチローラ２３Ｃと第２搬送ローラ２１とが接触した状態となる。
【００４４】
なお、原稿の搬送中は、第２搬送ローラ２１とピンチローラ２３Ｃとの間には、原稿が介在するが、以下、この状態も含めて第２搬送ローラ２１とピンチローラ２３Ｃとが接触するという。
【００４５】
外側シュートカバー２３がクローズ位置にある場合には、ピンチローラ２３Ｃの回転中心Ｏ４が不動であるため、ピンチローラ２３Ｃ、つまり外側シュートカバー２３は、第２搬送ローラ２１を下方側に揺動させる向きの力Ｆ１に対向して第２搬送ローラ２１の回転中心Ｏ３をその位置に保持するための力Ｆ２を作用させる。このため、遮光部材３１は、力Ｆ２を保持力として退避位置に保持される。
【００４６】
また、外側シュートカバー２３がオープン位置となると、外側シュートカバー２３の揺動中心Ｏ１が、ホルダアーム２９の揺動中心Ｏ２より下方側に設定され、かつ、外側シュートカバー２３が閉じられた状態における第２搬送ローラ２１の回転中心Ｏ３より下方側に設定されているので、図３に示すように、ガイド部２３Ａ及びピンチローラ２３Ｃが下方側に揺動変位する。
【００４７】
このため、遮光部材３１を退避位置に保持する保持力Ｆ２が消失するので、第２搬送ローラ２１及びホルダアーム２９が、自身に作用する重力Ｆｏによりピンチローラ２３Ｃの変位に追従して下方側に向けて揺動し、遮光部材３１が外側シュートカバー２３の揺動に機械的に連動して遮光位置となり、外光が自動読取窓９に入射することが防止される。
【００４８】
なお、外側シュートカバー２３が開かれてオープン位置からクローズ位置へと上方側に揺動する際には、ピンチローラ２３Ｃが第２搬送ローラ２１に接触して保持力Ｆ２を第２搬送ローラ２１に作用させるので、外側シュートカバー２３の揺動に機械的に連動して第２搬送ローラ２１及びホルダアーム２９が上方側へ揺動し、遮光部材３１が遮光位置から退避位置に変位する。
【００４９】
４．本実施形態に係る画像読取装置の特徴
本実施形態では、外側シュートカバー２３がオープン位置になったときには、遮光部材３１は遮光位置となり、一方、外側シュートカバー２３がクローズ位置になったときには、遮光部材３１は退避位置となるので、外側シュートカバー２３が開かれたときに、自動読取窓９に外光が入射してしまうことを抑制できる。
【００５０】
すなわち、本実施形態では、ユーザの判断により、薄い原稿の場合には、外側シュートカバー２３をクローズ位置として読み取りを行い、厚い原稿の場合には、外側シュートカバー２３をオープン位置として読み取りを行うことにより、自動読取窓９を通過した原稿を大きく湾曲させることなく排出できるので、原稿に曲がり癖が発生することを抑制できる。
【００５１】
また、本実施形態では、遮光部材３１が外側シュートカバー２３の揺動に機械的に連動して変位することを特徴としているので、センサや電気式のアクチュエータ等を用いることなく、遮光部材３１を外側シュートカバー２３の揺動に連動させて変位させることができ、画像読取装置１の製造原価上昇を抑制しつつ、原稿の曲がり癖を抑制しながら読み取り不良の発生を抑制できる。
【００５２】
また、本実施形態では、遮光部材３１は、搬送経路Ｌｏの内側に位置しているとともに、退避位置にあるときには搬送経路Ｌｏの一部を構成することを特徴としているので、画像読取装置１の部品点数が大きく増加してしまうことを防止できる。
【００５３】
また、本実施形態では、ガイド部２３Ａの下部に外側シュートカバー２３の揺動中心Ｏ１が設定され、さらに、ガイド部２３Ａの上部には、ガイド部２３Ａと共に外側シュートカバー２３を構成するカバー部２３Ｂが揺動可能に組み付けられていることを特徴としているので、例えば外側シュートカバー２３を１つの部材で構成した場合に比べて、搬送経路Ｌｏを大きく開放することができ、搬送経路Ｌｏに詰まった原稿を容易に除去することができる。
【００５４】
また、原稿の搬送方向において、ホルダアーム２９の揺動中心Ｏ２が、第２搬送ローラ２１の回転中心Ｏ３より搬送方向上流側に位置し、かつ、ホルダアーム２９の揺動中心Ｏ２から搬送経路Ｌｏまでの最短距離がホルダアーム２９の揺動中心Ｏ２から第２搬送ローラ２１と原稿との接点までの距離より小さいので、第２搬送ローラ２１に駆動力が作用したときには、第２搬送ローラ２１と原稿との接触面圧を上昇させることができる。
【００５５】
したがって、原稿の搬送時には原稿に確実に搬送力を付与しつつ、原稿の非搬送時には第２搬送ローラ２１と原稿との接触面圧が小さくなるので、搬送経路Ｌｏに詰まった原稿を容易に除去できる。
【００５６】
また、本実施形態では、遮光部材３１が第２搬送ローラ２１の回転中心軸に対して回転可能な状態でホルダアーム２９又は第２搬送ローラ２１に組み付けられていることを特徴としているので、外側シュートカバー２３の揺動に連動して遮光部材３１を大きく変位させることができる。
【００５７】
したがって、外側シュートカバー２３が開かれたときに、遮光部材３１を確実に自動読取窓９に外光が入射してしまうことを防止しながら、退避位置にあるときには、遮光部材３１にて搬送経路Ｌｏの一部を構成することができる。
【００５８】
５．発明特定事項と実施形態との対応関係
本実施形態では、自動読取窓９が特許請求の範囲に記載された読取部に相当し、第２搬送ローラ２１が特許請求の範囲に記載された送りローラに相当し、駆動歯車２１Ｃが動力供給部に相当する。また、自動読取機能の使用時においては、外側シュートカバー２３等の可動部材から見ると、本体部３や原稿カバー５は不動部材であることから、本実施形態では、本体部３や原稿カバー５が特許請求の範囲に記載された装置本体に相当する。
【００５９】
（第２実施形態）
上述の実施形態では、遮光部材３１がホルダアーム２９又は第２搬送ローラ２１に回転可能に組み付けられていたが、本実施形態は、図６及び図７に示すように、遮光部材３１をホルダアーム２９に対して固定（一体化）したものである。
【００６０】
そして、上側カバー１２Ａと遮光部材３１との隙間は封止部材３３Ａにて閉塞されている。因みに、本実施形態では、遮光部材３１がホルダアーム２９に対して固定（一体化）されているので、錘部３３Ｂ及び封止部材３３Ａのバネ特性は不要である。
【００６１】
なお、図６は外側シュートカバー２３がクローズ位置にある場合の状態を示し、図７は外側シュートカバー２３がオープン位置にある場合の状態を示しており、外側シュートカバー２３と遮光部材３１等との連動及びその作動は、上述の実施形態と同じである。
【００６２】
（その他の実施形態）
上述の実施形態では、外側シュートカバー２３の揺動に対して遮光部材３１を機械的に連動させたが、本発明はこれに限定されるものではなく、例えばセンサや電気式のアクチュエータ等を用いて電気的に連動させてもよい。
【００６３】
また、上述の実施形態では、遮光部材３１退避位置にあるときには、遮光部材３１により搬送経路Ｌｏの一部が構成されたが、本発明はこれに限定されるものではない。
また、上述の実施形態では、外側シュートカバー２３にピンチローラ２３Ｃを設けたが、本発明はこれに限定されるものではない。
【００６４】
また、上述の実施形態では、外側シュートカバー２３がガイド部２３Ａ及びカバー部２３Ｂから構成されていたが、本発明はこれに限定されるものではない。
また、上述の実施形態では、自動読取機能及び静止原稿読取機能を兼ね備えた画像読取装置１に本発明を適用したが、本発明はこれに限定されるものではなく、自動読取機能のみの画像読取装置１にも適用できる。
【００６５】
また、揺動抑制機構３３は上述の実施形態に示された構成に限定されるものではなく、その他の構成、例えばバネ性を有する封止部材３３Ａのみで構成したものであってもよい。
【００６６】
また、第１実施形態においては、外側シュートカバー２３がクローズ位置にあるときに、遮光部材３１が外側シュートカバー２３の内面側に接触するように遮光部材３１の重心Ｇ１又は揺動中心Ｏ２及び揺動中心Ｏ３を設定して揺動抑制機構３３（封止部材３３Ａ及び錘部３３Ｂのうち少なくとも一方）を廃止してもよい。
【００６７】
これにより、原稿の搬送時には、原稿が遮光部材３１と外側シュートカバー２３と間に潜り込むことにより、遮光部材３１が外側シュートカバー２３から離間するように中心Ｏ３周りに僅かに（原稿の厚み分だけ）揺動する。そして、原稿の搬送が終了すると、遮光部材３１が外側シュートカバー２３の内面側に接触するように揺動中心Ｏ３周りに僅かに（原稿の厚み分だけ）揺動する。
【００６８】
また、遮光部材３１が遮光位置にあるときに上側カバー１２Ａとの重なり量が十分大きい場合には、封止部材３３Ａを廃止してもよい。因みに、この場合においては、上側カバー１２Ａのうち遮光部材３１Ａ側を遮光部材３１の内面側に延ばすようにして上側カバー１２Ａと遮光部材３１とが重なるようにすることが望ましい。
【００６９】
また、本発明は、特許請求の範囲に記載された発明の趣旨に合致するものであればよく、上述の実施形態に限定されるものではない。
【符号の説明】
【００７０】
１…画像読取装置、３…本体部、５…原稿カバー、７…静止読取窓、
９…自動読取窓、１１…画像撮像素子、１２…自動原稿搬送機構、
１２Ａ…上側カバー、１３…原稿トレイ、１５…排出トレイ、
１９…第１搬送ローラ、１９Ａ…ピンチローラ、２１…第２搬送ローラ、
２１Ｃ…駆動歯車、２１Ｄ…歯車、２３…外側シュートカバー、２３Ａ…ガイド部、
２３Ｂ…カバー部、２３Ｃ…ピンチローラ、２５…第３搬送ローラ、
２５Ａ…ピンチローラ、２７Ａ…第１ヒンジ部、２７Ｂ…第２ヒンジ部、
２９…ホルダアーム、３１…遮光部材、３１Ａ…穴、３１Ｂ…取付部、
３３…揺動抑制機構、３３Ａ…封止部材、３３Ｂ…錘部。
【図１】
2011211597.tif 000003
【図２】
2011211597.tif 000004
【図３】
2011211597.tif 000005
【図４】
2011211597.tif 000006
【図５】
2011211597.tif 000007
【図６】
2011211597.tif 000008
【図７】
2011211597.tif 000009